(57)【要約】【課題】サイズ適性が幅広く、はかせやすさが容易で、適正な締め付け力が発生し十分なフィット性が確保されたパンツ型使い捨ておむつを提供すること。【解決手段】胴周囲部Ｄに胴回り弾性部材71a,71b を備え、胴回り弾性部材71a,71b は、少なくとも吸収体４の両側縁よりも外方の部位D1に、伸縮弾性が発現されるように伸張状態で配設固定されており、且つ吸収体４が存在する部位の少なくとも中央部には伸縮弾性が発現されるような状態では配設されておらず、おむつの製品幅W1に対する吸収体の幅W2の割合が30〜60％であると共に、おむつの製品幅W1に対する、吸収体４の両側部の外方の部位D1における胴回り弾性部材71a,71b の配設幅W3＋W4の割合が40〜95％であるパンツ型使い捨ておむつ１。【選択図】図１
2010029693.tif 000002
【特許請求の範囲】
【請求項１】
液透過性の表面シート、液不透過性の防漏シート及び液保持性の吸収体を具備し、着用者の胴回りに位置する胴周囲部に、周方向に向けて配された複数の胴回り弾性部材を備えたパンツ型使い捨ておむつにおいて、
前記胴回り弾性部材は、少なくとも前記吸収体の両側縁よりも外方の部位に、伸縮弾性が発現されるように伸張状態で配設固定されており、且つ前記吸収体が存在する部位の少なくとも中央部には伸縮弾性が発現されるような状態では配設されておらず、
前記おむつの製品幅に対する、前記胴回り弾性部材の配された部位に対応する前記吸収体の幅の割合が３０〜６０％であると共に、前記おむつの製品幅に対する、伸縮弾性を発現する前記胴回り弾性部材の配設幅の割合が４０〜９５％であるパンツ型使い捨ておむつ。
【請求項２】
前記胴回り弾性部材は、前記おむつの最外表面を構成する外層シートと、前記防漏シート又は他のシート材との間に配されている請求項１記載のパンツ型使い捨ておむつ。
【請求項３】
前記表面シート、前記防漏シート及び前記吸収体を具備する吸収体本体と、該吸収体本体の前記防漏シート側に配され且つ前記外層シートを含む外層体とから構成されており、
前記吸収体本体と前記外層体とが、部分的に接合されて固定されている請求項２記載のパンツ型使い捨ておむつ。
【請求項４】
着用者の腰回りに位置するウエスト開口部に、周方向に向けてウエスト部弾性部材が伸張状態で配設固定されており、
前記ウエスト開口部の３０％伸張時の応力が、前記胴回り弾性部材が配設されている前記胴周囲部の３０％伸張時の応力よりも大きい請求項１〜３の何れかに記載のパンツ型使い捨ておむつ。
【請求項５】
前記吸収体のＴａｂｅｒこわさの値が０．５〜２０ｇｆ・ｃｍである請求項１〜４の何れかに記載のパンツ型使い捨ておむつ。
【発明の詳細な説明】
【技術分野】
【０００１】
本発明は、吸収体の吸収領域が有効に利用されるパンツ型使い捨ておむつに関する。
【背景技術】
【０００２】
特許文献１には、本体の背側部分と腹側部分とを接続するサイド部分に伸縮性のサイドパネルを設け、本体のウエスト開口部に弾性部材を配置したパンツ型おむつが開示されている。しかし、このパンツ型おむつは、ウエスト開口部及びレッグ開口部に隙間が生じ易い。また、サイドパネルは伸縮応力特性に劣るものなので、一般にサイズ適性範囲が狭いという不都合がある。更に、おむつのずれ落ちを抑えるには、サイドパネルの伸縮応力を高めなければならず、これは着用者に無用の圧迫感を与え、また、おむつを広げたときに過度の力を要し、はかせ易さ、はき易さも損なうことがある。
【０００３】
特許文献２には、胴回りの弾性部材を、無伸張状態部分と、伸張状態部分とを有するように接合したパンツ型使い捨ておむつが記載されている。このおむつでは、弾性部材を無伸張状態でバックシートに接着剤によって接合させることで、無伸張状態部分を形成している。しかし、弾性部材を伸張させながら、ある特定部分のみを無伸張状態にするためには、多量の接着剤が必要であり、また加工上のトラブルが起こり易い。更に、製造経費が高くなり、その上、おむつ全体が接着剤により硬くなり風合いが損われる。しかも、無伸張状態と伸張状態という相反する物性状態を同一の弾性部材で実現するため、その伸張物性をコントロールすることが難しく、結果として、着用者の身体への締め付け力が十分に発生されず、おむつがずれ落ちたり、逆に締め付け力が強すぎて着用者の身体を圧迫するといった不都合がある。
【先行技術文献】
【特許文献】
【０００４】
【特許文献１】特開平２−４３６４号公報
【特許文献２】特許第２６０２４０８号公報
【発明の概要】
【発明が解決しようとする課題】
【０００５】
従って、本発明は、サイズ適性が幅広く、はかせ易く、適正な締め付け力が発生し十分なフィット性が確保され、しかも装着状態での外観がすっきりとしたパンツ型使い捨ておむつを提供することを目的とする。
【課題を解決するための手段】
【０００６】
本発明は、液透過性の表面シート、液不透過性の防漏シート及び液保持性の吸収体を具備し、着用者の胴回りに位置する胴周囲部に、周方向に向けて配された複数の胴回り弾性部材を備えたパンツ型使い捨ておむつにおいて、
前記胴回り弾性部材は、少なくとも前記吸収体の両側縁よりも外方の部位に、伸縮弾性が発現されるように伸張状態で配設固定されており、且つ前記吸収体が存在する部位の少なくとも中央部には伸縮弾性が発現されるような状態では配設されておらず、
前記おむつの製品幅に対する、前記胴回り弾性部材の配された部位に対応する前記吸収体の幅の割合が３０〜６０％であると共に、前記おむつの製品幅に対する、伸縮弾性を発現する前記胴回り弾性部材の配設幅の割合が４０〜９５％であるパンツ型使い捨ておむつを提供することにより前記目的を達成したものである。
【発明の効果】
【０００７】
本発明のパンツ型使い捨ておむつは、サイズ適性が幅広く、はかせ易く、適正な締め付け力が発生し十分なフィット性が確保される。
また本発明のパンツ型使い捨ておむつは、装着状態での外観がすっきりとしたものとなる。
更に、本発明のパンツ型使い捨ておむつによれば、従来のおむつと同等の吸収性能を保ちつつ材料費を低減させることができる。
【図面の簡単な説明】
【０００８】
【図１】本発明のパンツ型使い捨ておむつの一実施形態を示す斜視図である。
【図２】図２（ａ）は図１に示すおむつを組み立てる前の状態を表面シート側からみた伸張状態での平面図であり、図２（ｂ）は図２（ａ）におけるｂ−ｂ線断面図である。
【発明を実施するための形態】
【０００９】
以下本発明を、その好ましい実施形態に基づき図面を参照しながら説明する。図１には本発明のパンツ型使い捨ておむつの一実施形態の斜視図が示されており、図２（ａ）には図１に示すおむつを組み立てる前の状態を表面シート側からみた伸張状態での平面図が示されており、図２（ｂ）には図２（ａ）におけるｂ−ｂ線断面図が示されている。
【００１０】
本実施形態の使い捨ておむつ１は、図１及び図２に示すようにパンツ型であり、液透過性の表面シート２、液不透過性の防漏シート３及び両シート２、３間に介在配置された液保持性の吸収体としての吸収性コア４を有する実質的に縦長の吸収体本体１０と、該吸収体本体１０の防漏シート３側に配された外層体１１とを備えている。
【００１１】
おむつ１は、着用者の腹側に配される腹側部Ａと背側に配される背側部Ｂとその間に位置する股下部Ｃとを有し、腹側部Ａの両側縁Ａ１，Ａ２と背側部Ｂの両側縁Ｂ１，Ｂ２とが互いに接合されて、ウエスト開口部５及び一対のレッグ開口部６が形成されている。この接合には例えばヒートシール、高周波シール、超音波シール等が用いられる。
【００１２】
表面シート２、防漏シート３及び吸収性コア４は所定手段によって互いに接合されて縦長の吸収体本体１０を形成している。表面シート２及び防漏シート３はそれぞれ矩形状である。また吸収性コア４も矩形状である。表面シート２及び防漏シート３としては、従来この種のおむつに用いられているものと同様のものを用いることができる。また吸収性コア４は、高吸収性ポリマーの粒子及び繊維材料から構成されており、ティッシュペーパ（図示せず）によって被覆されている。
【００１３】
図２に示すように、吸収体本体１０の左右両側には、液抵抗性ないし液不透過性で且つ通気性の素材から構成された側方カフス８，８が形成されている。各側方カフス８は、吸収体本体１０の長手方向に沿って固定端部及び自由端部を有している。固定端部は、表面シート２に固定されている。一方、自由端部の近傍には、側方カフス弾性部材８１が伸張状態で配されている。これにより側方カフス８が起立して、吸収体本体１０の幅方向への液の流出が阻止されている。
【００１４】
吸収体本体１０は、図２に示すように、その長手方向を外層体１１の長手方向に一致させて、外層体１１の中央部に固定されている。吸収体本体１０と外層体１１とは、部分的に接合されて固定されている。両者をこのように固定することで、後述する吸収性コア４のひだ寄せの発生が一層効果的に防止される。
【００１５】
外層体１１は、少なくとも二枚のシート材、即ち外層シート１２と該外層シート１２の内面側に配された内層シート１３とを有している。二枚のシート材は例えば不織布から構成されている。外層体１１は、おむつ１の外形を形成しており、外層体１１を構成する外層シート１２はおむつ１の最外表面をなしている。内層シート１３は外層シート１２の内面側に、ホットメルト粘着剤等の接着剤によって接合されている。外層体１１は、その両側縁が、長手方向中央部において内方に括れた砂時計形の形状をしている。
【００１６】
外層体１１は、吸収体本体１０の前後端縁から外方に延出しており、延出した部分が吸収体本体１０側に折り返されている。そして、折り返された外層材１１の前後端縁は、図２（ｂ）に示すように吸収体本体１０における吸収性コア４上に位置している。
【００１７】
図２に示すように、外層体１１における前後端部には、前後端縁に沿って、複数のウエスト部弾性部材５１ａ、５１ｂがその幅方向に亘り配されている。各ウエスト部弾性部材５１ａ、５１ｂは、外層シート１２と内層シート１３とによって伸張状態で挟持固定されている。各ウエスト部弾性部材５１ａ、５１ｂは、おむつ１の腹側部Ａの両側縁Ａ１，Ａ２と背側部Ｂの両側縁Ｂ１，Ｂ２とを互いに接合させたときに、両弾性部材５１ａ、５１ｂの端部同士がほぼ重なるように配されている。これによって、図１に示すように、ウエスト部弾性部材５１ａ、５１ｂは、おむつ１のウエスト開口部５の周方向に向けて配されることになり、ウエスト開口部５の付近には実質的に連続したリング状のウエストギャザーが形成される。
【００１８】
図２に示すように、外層体１１における左右両側の湾曲部には、レッグ部弾性部材６１ａ、６１ｂが配されている。各レッグ部弾性部材６１ａ、６１ｂは、中央部分６１ａ'、６１ｂ'と、これに連続する各側縁部分６１ａ"、６１ｂ"とから構成されている。中央部分６１ａ'、６１ｂ'は、おむつ１の股下部Ｃを横切るように配されており、側縁部分６１ａ"、６１ｂ"は前記湾曲部に沿って配されている。各レッグ部弾性部材６１ａ、６１ｂは、外層シート１２と内層シート１３との間に配されており、該弾性部材６１ａ、６１ｂにおける側縁部分６１ａ"、６１ｂ"が、所定の接合手段によって、両シート１２、１３に伸張状態で固定されている。各レッグ部弾性部材６１ａ、６１ｂは、おむつ１の腹側部Ａの両側縁Ａ１，Ａ２と背側部Ｂの両側縁Ｂ１，Ｂ２とを互いに接合させたときに、両弾性部材６１ａ、６１ｂの端部同士が重なるように配されている。これによって、図１に示すように、おむつ１のレッグ開口部６、６の付近には実質的に連続したリング状のレッグギャザーが形成される。
【００１９】
ウエスト弾性部材５１、レッグ部弾性部材６１及び側方カフス弾性部材８１としてはそれぞれ、天然ゴム、ポリウレタン系樹脂又は発泡ウレタン系樹脂等を帯状又は糸状に形成したものが好ましく用いられる。ウエスト部弾性部材は、３０％伸張時の強力が１０〜１００ｇｆ、特に１５〜８０ｇｆであることが好ましく、伸長率６０〜１６０％の状態で外層シート１２と内層シート１３との間に挟持固定されていることが好ましい。尚、伸張率は、自然長に対する、伸張されて増加した分の長さの割合であり、例えば、長さ１０ｃｍのものを２０ｃｍに伸張するとその伸長率は１００％とされる。
【００２０】
図１及び図２に示すように、外層体１１における前後端部と左右両側の湾曲部との間に位置する胴周囲部Ｄには、外層体１１の幅方向に向けて複数の胴回り弾性部材７１ａ、７１ｂがそれぞれ配されている。各胴回り弾性部材７１ａ、７１ｂは糸状であり、おむつ１の腹側部Ａ及び背側部Ｂにおいて、吸収性コア４の両側縁よりも外方の部位Ｄ１に配されており且つ伸縮弾性が発現するように外層シート１２と内層シート１３とによって伸張状態で挟持固定されている。各胴回り弾性部材７１ａ、７１ｂは、接着剤やヒートシールなどの公知の接合手段を用いて間欠的に固定されている。各胴回り弾性部材７１ａ、７１ｂは、おむつ１の腹側部Ａの両側縁Ａ１，Ａ２と背側部Ｂの両側縁Ｂ１，Ｂ２とを互いに接合させたときに、両弾性部材７１ａ、７１ｂの端部同士がほぼ重なるように配されている。これによって、図１に示すように、胴回り弾性部材７１ａ、７１ｂは、おむつ１の胴周囲部の周方向に向けて配されることになる。そして、おむつ１における吸収性コア４の両側縁よりも外方の部位Ｄ１においては、胴回り弾性部材７１ａ、７１ｂ配された領域に胴周囲ギャザーが形成される。
【００２１】
更に、胴回り弾性部材７１ａ、７１ｂは、吸収性コア４が存在する部位の少なくとも中央部には伸縮弾性が発現されるような状態では配されていない。即ち、胴回り弾性部材７１ａ、７１ｂが配されていないか、又は胴回り弾性部材７１ａ、７１ｂが配されている場合には、該胴回り弾性部材７１ａ、７１ｂは伸縮弾性が発現しないような状態で配されている。本実施形態においては、胴回り弾性部材７１ａ、７１ｂは、その両端のうちの一方である内側の端部が、吸収性コア４の側縁に若干重なる程度の状態で配されており、吸収性コア４の幅方向中央部から左右両側縁の近傍にかけての領域には胴回り弾性部材７１ａ、７１ｂが配されていない。吸収性コア４の側縁に位置する胴回り弾性部材７１ａ、７１ｂは非伸張状態となっており、伸縮弾性は発現していない。これによって、おむつ１における吸収性コア４が配された領域にはギャザーが形成されない。
【００２２】
吸収性コア４上には、その幅方向の全域に亘り胴回り弾性部材７１ａ、７１ｂが全く配されていないか、或いは配されていたとしても伸縮弾性が発現しないように配されていることが、以下に述べる吸収性コア４のひだ寄せ発生防止の点から最も好ましい。しかし、吸収性コア４のひだ寄せ発生の防止の観点からは、吸収性コア４上に少なくとも非伸縮の部分があればよく、吸収性コア４の幅の６０％以下、特に４０％以下の割合で、伸縮弾性を発現する胴回り弾性部材７１ａ、７１ｂが配されていてもよい。
【００２３】
胴回り弾性部材７１ａ、７１ｂをこのように配することで、吸収性コア４にひだ寄せが起こることが防止されて、吸収性コア４の吸液領域が有効に利用される。また、これに起因して着用者の身体とおむつ１との間に隙間ができにくくなり、漏れを効果的に防止できる。吸収性コアがひだ寄せされないように、おむつの内寸を着用者の胴廻り寸法と一致させ、胴回り弾性部材をほぼ伸長率倍に引き伸ばす手段も考えられるが、その場合には胴回り寸法が小さすぎて、おむつを着用させにくくなる。また、おむつの内寸を最大として着用させた際に胴廻りの弾性部材の応力が最大値を発現するように構成されているため、ほとんど現実的でない。
【００２４】
その結果、従来のおむつよりも吸収性コア４の幅を狭くしたり、薄くしても、過大なひだ形成による縮みがなくなり、従来のおむつと同程度の吸収性能が発現するので、おむつ１の材料費を削減することができる。具体的には、おむつ１の製品幅Ｗ１（図２参照）に対する、胴回り弾性部材７１ａ、７１ｂが配された部分に対応する吸収性コア４の幅Ｗ２（図２参照）の割合を、３０〜６０％、好ましくは４０〜５０％、更に好ましくは４３〜４８％とすることができる。この割合が３０％未満であると十分な吸収性能が発現せず、一方６０％超とすることは、材料費削減の点から不利となる。これらの幅Ｗ１及びＷ２は、おむつ１を伸張状態にして測定されたものである。尚、本実施形態においては、吸収性コア４は矩形状であるので、その幅は長手方向に亘り同じであるが、吸収性コア４の幅がその長手方向に亘って同じでない場合、例えば吸収性コア４が砂時計形状をしている場合には、前記幅Ｗ２は、前述の通り、胴回り弾性部材７１ａ、７１ｂが配された部分に対応する位置で測定される。
【００２５】
また、本発明のおむつ１において、ひだ寄せの発生が防止される結果、着用時のおむつ１の外観印象が良好になるという利点もある。
【００２６】
吸収性コア４のひだ寄せ発生が防止されることは、吸収性コア４が薄型軽量で柔軟性が高い場合に特に有効である。詳細には、吸収性コア４の厚みが０．５〜１０ｍｍ、特に０．５〜５ｍｍ程度である場合、吸収性コア４におけるパルプ繊維の含有量が０〜５５重量％、特に０〜３０重量％程度である場合、或いは吸収性コア４の柔軟性の尺度となるＴａｂｅｒこわさの値が０．５〜２０ｇｆ・ｃｍ、特に０．５〜１０ｇｆ・ｃｍである場合には、吸収性コア４のフィット性が特に高くなるが、逆に吸収性コア４にひだ寄せが起こりやすくなる。しかし、胴回り弾性部材７１ａ、７１ｂを前述の態様で配設することで、変形し易い薄型軽量の吸収性コア４を用いた場合であっても、ひだ寄せの発生が効果的に防止される。尚、吸収性コア４におけるパルプ繊維の含有量が０〜５５重量％である場合、高吸収性ポリマーの含有量は、４０〜１００重量％、特に５０〜１００重量％であることが好ましい。また、パルプ繊維以外の繊維材料（例えば熱融着性繊維）を含有させてもよい。
【００２７】
前述のＴａｂｅｒこわさは、板紙のテーバーこわさ試験機によるこわさ試験方法（ＪＩＳ  Ｐ  ８１２５）に記載されている方法に従い測定される。具体的には吸収性コア４を、それを包むティッシュペーパと共に３．８ｃｍ×７．０ｃｍに裁断し、テーバーこわさ試験機を用いて測定する。
【００２８】
また、パルプ繊維が全く使用されていない吸収性コアを使用することも可能である。例えば不織布ウエブに高吸収性ポリマーを分散させた吸収性コアを使用できる。このときの不織布ウエブの含有量は、５０〜８０重量％で、特に６０〜７５重量％であることが好ましく、高吸収性ポリマーの含有量は、２０〜６０重量％、特に３０〜５０％であることが好ましい。
【００２９】
おむつ１を着用者の胴回りに適正な締め付け力で着用させる観点から、おむつ１の製品幅Ｗ１に対する、吸収性コア４の両側縁よりも外方の部位Ｄ１における伸縮弾性を発現する胴回り弾性部材７１ａ，７１ｂの配設幅Ｗ３＋Ｗ４の割合を４０〜９５％、好ましくは５０〜８０％、更に好ましくは５５〜７５％とする。この割合が４０％未満であると、配設幅が狭いことから、十分なフィット性を発現させるためには高伸張率で弾性部材７１ａ，７１ｂを配設しなくてはならず、結果として着用者の身体を部分的に圧迫することになる。これは、パンツ型使い捨ておむつにおいて伸縮性のサイドパネルを用いた場合と同様の不具合となる。一方、前記割合が９５％超となると、吸収性コア４上にひだ寄せができて吸収性能が損なわれる。胴回り弾性部材７１ａ，７１ｂの配設幅が、おむつ１の背側部Ａと腹側部Ｂとで異なる場合には、背側部Ａ及び腹側部Ｂの少なくとも何れか一方における胴回り弾性部材の配設幅と、おむつ１の製品幅との割合が前記範囲内であればよく、背側部Ａ及び腹側部Ｂの双方において前記範囲内であることが特に好ましい。
【００３０】
同様に、おむつ１を着用者の胴回りに適正な締め付け力で着用させる観点から、ウエスト開口部５の３０％伸張時の応力σW が、胴回り弾性部材が配設されている胴周囲部Ｄの３０％伸張時の応力σD よりも大きいことが好ましい。詳細には、σW は、σD の１０倍まで、特に１．５〜６倍であることが、一層適正な締め付け力が発生する観点から好ましい。
【００３１】
ウエスト開口部５の３０％伸張時の応力σW の値は、３０〜２５０ｇｆ／ｃｍ、特に５０〜１５０ｇｆ／ｃｍであることが、装着のしやすさ、装着中のずれ落ちにくさ、着用者に対する圧迫低減の点から好ましい。一方、胴回り弾性部材が配設されている胴周囲部Ｄの３０％伸張時の応力σD の値は５〜１００ｇｆ／ｃｍ、特に１０〜４０ｇｆ／ｃｍであることが、着用者の胴回りに適正な締め付け力が発生する観点から好ましい。
【００３２】
本実施形態のおむつ１は、以下に述べる方法で好ましく製造される。先ず、常法に従って、吸収体本体１０を製造する。一方、外層体１１を製造するには、先ず、外層シート１２の全面に亘りホットメルト粘着剤を塗工する。次いで、胴周囲部Ｄに、外層シート１２の幅方向に亘って胴回り部弾性部材７１ａ，７１ｂを伸張状態で配設固定する。更にウエスト部弾性部材５１ａ，５１ｂ及びレッグ部弾性部材６１ａ，６１ｂをそれぞれ目的の位置に伸張状態で配設固定する。然る後、外層シート１２上に内層シート１３を重ね合わせ両者を接合し、次いで胴回り部弾性部材７１ａ，７１ｂをその幅方向中央部において切断することで外層体１１が得られる。このようにして得られた吸収体本体１０と外層体１１とを部分接合で固定し、更に、外層体１１における腹側部Ａ及び背側部Ｂの左右両側縁をそれぞれ接合固定してパンツ型とする。
【００３３】
胴回り部弾性部材の切断には、ロータリダイカッター、シェアカッター、ピンチカッターなどの切り歯と受け歯の組み合わせや、熱シールカット、超音波シールカット、圧接カット、ウォータージェットカッター等の公知の切断手段を用いることができる。
【００３４】
本発明は前記実施形態に制限されない。例えば前述の実施形態においては胴回り弾性部材７１ａ，７１ｂは、吸収性コア４の両側縁よりも外方の部位Ｄ１の略全域において伸縮弾性が発現するように配設されていたが、これに代えて一部のみで伸縮弾性が発現するようにしても良い。
【００３５】
また、胴回り弾性部材７１ａ，７１ｂは、おむつ１の腹側部Ａにのみ配設してもよいし、背側部Ｂにのみ配設してもよい。腹側部Ａに胴回り弾性部材を配設した場合には、前から見たときのおむつの外観がすっきりする。背側部Ｂに配設した場合には、後ろから見たときのおむつの外観がすっきりし、またおむつ廃棄用のテープの接着がし易い、印刷が見やすい等の利点がある。
【００３６】
また前記実施形態においては、胴回り弾性部材７１ａ，７１ｂは、吸収性コア４を横切る位置に配設されていたが、吸収性コア４の長さを短くすることで、吸収性コア４の前端又は後端とウエスト開口部との間の位置に、おむつ１の幅方向全体に亘って胴回り弾性部材を配設することもできる。このように複数の胴回り弾性部材のうち吸収性コアの前端又は後端とウエスト開口部との間に位置するものがある場合、その胴回り弾性部材は、全体が伸縮可能に配設されても良く、或いは吸収性コア４の両側縁からウエスト開口部へ向けて延長線を引いた場合に、２本の延長線の間に位置する部分が非伸縮性で且つその外方に位置する部分が伸縮可能となるように配設されてもよい。
【００３７】
また前述の実施形態においては、本発明の所望の効果を得るべく、最も好ましい形態として、胴回り弾性部材７１ａ，７１ｂのうち吸収性コア４と重なる部分はすべて非伸縮としているが、これに限られず、前述の通り、吸収性コア４上に位置する胴回り弾性部材７１ａ，７１ｂのうちの少なくとも一部が非伸縮であればよく、伸縮性を発現する部分があってもよい。非伸縮性とする範囲については、幼児用のパンツ型おむつについては、吸収性コア４の幅Ｗ２の約１／２以上であるか、又はおむつ１の製品幅Ｗ１の約１／２０以上３／４以下の何れかの範囲であることが好ましい。大人用のパンツ型おむつについては、吸収性コア４の幅Ｗ２の約１／３以上であるか、又はおむつ１の製品幅Ｗ１の約１／２０以上３／４以下の何れかの範囲であることが好ましい。
【実施例】
【００３８】
〔実施例１〜４並びに比較例１及び２〕
図１及び図２に示すパンツ型使い捨ておむつを製造した。製造されたおむつにおける、おむつの製品幅Ｗ１、吸収性コアの幅Ｗ２、胴回り弾性部材の配設幅Ｗ３＋Ｗ４を以下の表１に示す。また、ウエスト開口部の３０％伸張時の応力σW 及び胴回り弾性部材が配設されている胴周囲部の３０％伸張時の応力σD を表１に示す。更に、吸収性コアのＴａｂｅｒこわさを表１に示す。尚、実施例１〜３並びに比較例１及び２はベビー用のおむつに係るものであり、実施例４は成人用のおむつに係るものである。
【００３９】
実施例及び比較例で得られたおむつにおけるウエスト開口部の３０％伸張時の応力σW 、及び胴回り弾性部材が配設されている胴周囲部の３０％伸張時の応力σD の測定方法は以下の通りである。
【００４０】
おむつの幅方向に亘り、ウエスト開口部を幅２５ｍｍに亘り切り出し、リング状の測定片を採取する。同様におむつの幅方向に亘り、胴周囲部を幅７０ｍｍに亘り切り出し、リング状の測定片を採取する。測定片を引張試験機のチャックに装填し、３００ｍｍ／分の速度で引っ張り、３０％伸張時の応力を測定する。測定された応力を測定片の幅（ｃｍ）で除して１ｃｍ当たりの応力を算出し、その値をそれぞれウエスト開口部の３０％伸張時の応力σW 、及び胴回り弾性部材が配設されている胴周囲部の３０％伸張時の応力σD の値とする。チャック間距離はおむつの幅に応じて適宜変更する。おむつの前身頃及び後見頃の何れか一方にしか弾性部材が配されていない場合には、前記の応力の測定においては弾性部材が配されている側のみから測定片を採取する。
【００４１】
実施例及び比較例で得られたおむつについて、以下の方法でフィット性、はかせ易さ及びずれ落ちにくさを評価した。これらの結果を表１に示す。
【００４２】
〔フィット性〕
各実施例及び比較例についてそれぞれ１０枚のおむつをモニターに着用させ、身体とおむつとの隙間の発生の有無、及びおむつによる身体への圧迫の観点から以下の基準で評価した。モニターは１０名とした。実施例１〜３並びに比較例１及び２は、生後１６カ月〜２４カ月の赤ちゃん、実施例４は成人をモニターとした。
Ａ：隙間が殆どなく、脱いだ後の身体に弾性部材による圧迫痕がない。
Ｂ：隙間が生じるが、脱いだ後の身体に弾性部材による圧迫痕はない。
Ｃ：隙間が生じ、また脱いだ後の身体に弾性部材による圧迫痕がある。
【００４３】
〔はかせ易さ〕
おむつのはかせ易さを、おむつの広げ易さと引き上げ易さの観点から以下の基準で評価した。手順は、前記〔フィット性〕と同様とした。
Ａ：はかせる前にウエスト開口部から胴周囲部にかけておむつを広げ易く、おむつを容易に引き上げることができる。
Ｂ：はかせる前にウエスト開口部から胴周囲部にかけておむつを広げ難い。
Ｃ：はかせる前にウエスト開口部から胴周囲部にかけておむつを広げ難く、引き上げるのが難しい。
【００４４】
〔ずれ落ちにくさ〕
動的歩行モデルにより評価した。この歩行モデルにおむつを装着し、１４０歩／ｍｉｎの速度で歩行させ、おむつのずれ落ちにくさをずれ落ち量で評価した。
Ａ：ベビー用及び成人用ともにずれ落ち量が２ｃｍ未満。
Ｂ：ベビー用及び成人用ともにずれ落ち量が２ｃｍ以上４ｃｍ未満。
Ｃ：ベビー用及び成人用ともにずれ落ち量が４ｃｍ以上。
【００４５】
【表１】
2010029693.tif 000003
【００４６】
表１に示す結果から明らかなように、各実施例のおむつ（本発明品）は、比較例のおむつに比して、フィット性に優れ、はかせ易いものであることが判る。またずれ落ちにくく、装着状態での外観が良好なものであることが判る。比較例１では、胴回り弾性部材の配設幅（Ｗ３＋Ｗ４）が狭いことからおむつを引き上げにくく、おむつのサイド部からの圧迫がある。またおむつのずれ落ちがあり、着用者の身体との間に隙間ができ、その結果、漏れが発生し易い。比較例２では、吸収性コアの幅（Ｗ２）が広すぎておむつを引き上げにくく、おむつにごわごわ感がある。またおむつのずれ落ちがあり、着用者の身体との間に隙間ができ、その結果、漏れが発生し易い。
【符号の説明】
【００４７】
１  使い捨ておむつ
２  表面シート
３  防漏シート
４  吸収性コア
１０  吸収体本体
１１  外層体
７１ａ、７１ｂ  胴回り弾性部材
Ａ  腹側部
Ｂ  背側部
Ｃ  股下部
Ｄ  胴周囲部
【図１】
2010029693.tif 000004
【図２】
2010029693.tif 000005
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
液透過性の表面シート、液不透過性の防漏シート及び液保持性の吸収体を有する吸収性本体と、該吸収性本体の該防漏シート側に配された外層体とを具備するパンツ型使い捨ておむつにおいて、
前記外層体における着用者の胴回りに配される胴周囲部に、該胴回りの周方向に向けて配された複数の胴回り弾性部材を備えており、
前記胴回り弾性部材は、前記外層体における、少なくとも前記吸収体の両側縁よりも外方の部位に、伸縮弾性が発現されるように伸長状態で固定されており、且つ該吸収体が存在する部位では、切断されていることによって、該部位の少なくとも中央部においては伸縮弾性が発現されないようになっており、
前記吸収体が存在する部位における、前記胴回り弾性部材によって伸縮弾性が発現されない範囲が、該吸収体の幅の１／２以上であるパンツ型使い捨ておむつ。
【請求項２】
前記胴回り弾性部材が、圧接カットで切断されている請求項１記載のパンツ型使い捨ておむつ。
【請求項３】
前記胴回り弾性部材が、前記外層体を構成するシート材に、接着剤で間欠的に固定されている請求項１又は２記載のパンツ型使い捨ておむつ。
【請求項４】
前記吸収性本体と前記外層体とが部分接合で固定されている請求項１〜３の何れかに記載のパンツ型使い捨ておむつ。